(57)【要約】  本発明は、中軸線を共有し前後に配置されたＣＴスキャンフレームとＰＥＴ検知腔を備え、前記ＣＴスキャンフレームは、ハウジングと、中軸線に垂直な円柱形状のＣＴスキャン通路を備え、前記ＰＥＴ検知腔は、互いに隣接する複数のＰＥＴ検知モジュールによって形成され、ＰＥＴ検知結晶は、いずれも腔内方向へ配置され、前記ＰＥＴ検知腔は、全体として封止され、又は前記ＣＴスキャンフレームに隣接する側に第１開口が形成され、前記複数のＰＥＴ検知モジュールにおける各ＰＥＴ検知モジュールは、いずれもＰＥＴ検知結晶、光電センサーアレイ、ライトガイドからなり、前記第１開口を除いて、このＰＥＴ検知腔の全てのボイド断面積は、いずれも前記ＰＥＴ検知結晶の最小の１つの検知表面積よりも小さい全身のＰＥＴとＣＴを組み合わせた検出器を提供する。
2021532372.tif 000002
【特許請求の範囲】
【請求項１】
中軸線を共有し前後に配置されたＣＴスキャンフレームとＰＥＴ検知腔を備え、
前記ＣＴスキャンフレームは、ハウジングと、中軸線に垂直な円柱形状のＣＴスキャン通路を備え、
前記ＰＥＴ検知腔は、互いに隣接する複数のＰＥＴ検知モジュールによって形成され、ＰＥＴ検知結晶は、いずれも腔内方向へ配置され、前記ＰＥＴ検知腔は、全体として封止され、又は前記ＣＴスキャンフレームに隣接する側に第１開口が形成され、
前記複数のＰＥＴ検知モジュールにおける各ＰＥＴ検知モジュールは、いずれもＰＥＴ検知結晶、光電センサーアレイ、ライトガイドからなり、
前記第１開口を除いて、このＰＥＴ検知腔の全てのボイド断面積は、いずれも前記ＰＥＴ検知結晶の最小の１つの検知表面積よりも小さい、
ことを特徴とする全身のＰＥＴとＣＴを組み合わせた検出器。
【請求項２】
前記ＣＴスキャンフレームには、Ｘ線球管、線フィルター、コリメーター、参照検知器、検知器が含まれるが、これらに限定されない、ことを特徴とする請求項１に記載の全身のＰＥＴとＣＴを組み合わせた検出器。
【請求項３】
前記ＰＥＴ検知腔が全体として封止された時、前記ＰＥＴ検知腔は、第１形態、第２形態、第３形態、第４形態の何れかであり、且つ中軸線に垂直な前記ＰＥＴ検知腔の１端は、人体モジュール全体が進出することを許可する第１エンドカバーを有し、この第１エンドカバーは、ＰＥＴ検知腔に対して開いて完全に閉じることができる機械構造が配置され、
前記第１形態は、前記ＰＥＴ検知腔が円柱形状形態であり、中間のバレル部と両端の２つの平面エンドカバーからなり、このバレル部は、円柱形状を形成するように幾つかの検知モジュールリングにより密接に配列され、各検知モジュールリングは、一定の数の検知モジュールが結晶が内に向かうように円周に配列されてリング状になり、この平面エンドカバーは、一定の数の検知モジュールが結晶検知面が内に向かうように平行に配列され円盤形状又は略円盤形状になり、それによって形成される略円形状の平面エンドカバーの内側面の寸法は、前記バレル部の円形状開口よりも大きく、第１形態での前記第１エンドカバーは、２つの前記平面エンドカバーのうちの１つであり、
前記第２形態は、前記ＰＥＴ検知腔がカプセル形状形態であり、中間のバレル部と両端の２つの内凹の曲面形状のエンドカバーからなり、このバレル部は、円柱形状を形成するように幾つかの検知モジュールリングにより密接に配列され、各検知モジュールリングは、一定の数の検知モジュールが結晶の検知面が内に向かうように円周に配列されてリング状になり、この内凹の曲面形状のエンドカバーは、一定の数の検知モジュールが結晶の検知面が内へ凹むように一定の曲面弧度に配列され、それによって形成される内凹の曲面形状のエンドカバーのバレル部の軸線に垂直な横断面は、前記バレル部の円形状開口よりも大きく、前記内凹の曲面形状のエンドカバーは、具体的には半球形状のエンドカバー、半分未満の楕球形状のエンドカバー、又は半分未満の球キャップ形状のエンドカバーの三つの状況の何れかであり、第１形態での前記第１エンドカバーは、２つの前記内凹の曲面形状のエンドカバーのうちの一つであり、
前記第３形態は、前記ＰＥＴ検知腔が楕球形状形態であり、ａ＞ｂ＝ｃであり、上下の半分楕球又は左右の半分楕球からなるか、左右の半分楕球の中間にバレルのうちの１つを挟むようにかななり、前記上下の半分楕球は、鏡面対称であり、前記左右の半分楕球は、鏡面対称であり、このバレル部は、円柱形状を形成するように幾つかの検知モジュールリングにより密接に配列され、又は断面がａ＞ｂ＝ｃの楕球体の中部状を満たし、このバレル部における各検知モジュールリングは、一定の数の検知モジュールが結晶の検知面が内に向かうように円周に配列されてリング状になり、前記第３形態での第１エンドカバーは、中軸線に垂直な検知腔の１端に位置し、形状がａ＞ｂ＝ｃであるａ軸の端側から取られ、
前記第４形態は、前記ＰＥＴ検知腔が正多面形の柱状形態であり、中間のバレル部と両端の２つの平面エンドカバーからなり、このバレル部は、正多面形の柱状を形成するように幾つかの検知モジュールリングにより密接に配列され、各検知モジュールリングは、一定の数の検知モジュールが結晶の検知面が内に向かうように円周に配列され正多角の形状になり、この平面エンドカバーは、一定の数の検知モジュールが結晶の検知面が内に向かうように平行に配列され円盤形状、略円盤形状、正多角の形状、略正多角の形状の何れかになり、それによって形成される略円形状の平面エンドカバーの内側面の寸法は、前記バレル部の正多角の形状の開口よりも大きく、第４形態での前記第１エンドカバーは、２つの前記平面エンドカバーのうちの１つであり、
前記ＰＥＴ検知腔は、ＣＴスキャンフレームに隣接する側に第１開口が形成され、このＰＥＴ検知腔は、上記の第１エンドカバーを除いた第１形態、第２形態、第３形態、第４形態のいずれかである、ことを特徴とする請求項１又は請求項２に記載の全身のＰＥＴとＣＴを組み合わせた検出器。
【請求項４】
２つのＰＥＴ検知モジュール間ごとに、いずれも合致回路が接続され、
各前記ＰＥＴ検知モジュールの具体的な構造は、検知器ハウジング、光電センサーアレイ、ライトガイド、ＰＥＴ検知結晶が外から内に順に設置され、ライトガイドは、光電センサーアレイに密接に結合され、ＰＥＴ検知結晶にも密接に結合され、
前記ＰＥＴ検知結晶材料は、シンチレーション結晶であり、このシンチレーション結晶は、１つ以上の結晶ブロックからなり、
前記第４形態では、前記正多角形プリズムは、正六角形プリズム又は正八角形プリズムであり、前記正多角の形状は、正六角形又は正八角形である、ことを特徴とする請求項３に記載の全身のＰＥＴとＣＴを組み合わせた検出器。
【請求項５】
前記ＰＥＴ検知結晶の内への面は、いずれも平面又は略平面であり、
前記結晶ブロックは、具体的には複数の結晶ストリップから構成される結晶ストリップアレイからなるか、１つ以上の全体に切割された結晶からなり、
前記シンチレーション結晶の材料は、ゲルマニウム酸ビスマス（ＢＧＯ）結晶、ヨウ化ナトリウム（ＮａＩ）結晶、ＮａＩ（Ｔｌ）単結晶、ケイ酸ルテチウム（ＬＳＯ）結晶、ケイ酸ガドリニウム（ＧＳＯ）結晶、イットリウムルテチウム（ＬＹＳＯ）のうちの１つまたは複数から選択され、
各検知モジュールリング間には、高原子数物質からなるスペーサーが組立されるか、一部の検知モジュールリング間には、高原子数物質からなるスペーサーが組立されるか、全ての検知モジュールリング間には、いずれもスペーサーが組立されなく、
前記高原子数物質は、鉛又はタングステンである、ことを特徴とする請求項４に記載の全身のＰＥＴとＣＴを組み合わせた検出器。
【請求項６】
請求項３から請求項５の何れか１項に記載の全身のＰＥＴとＣＴを組み合わせた検出器を備え、
給電回路、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、ＰＥＴ作動電源、ＣＴ作動電源、コンソール端末をさらに有し、
このＰＥＴサポートブラケットは、前記ＰＥＴ検知腔の全ての複数のＰＥＴ検知モジュールを固定及び支持し、このＰＥＴサポートブラケットは、前記検知腔を連行して任意角度で回動させ、前記検知腔を連行して任意方向へ並進させることもでき、
前記配置されたＰＥＴ検知腔に対して開いて完全に閉じることができる機械構造は、第１エンドカバーの自動又は手動開閉と連動するヒンジ構造であるか、第１エンドカバーを中軸線に垂直な状態まま回転させ開閉させる回転機構であるか、第１エンドカバーを中軸線に垂直な状態まま並進させ開閉させる並進機構であり、
このＰＣ端末には、ＰＥＴ信号収集と演算分析システム、及びＣＴ信号収集と演算分析システムが備え、
この給電回路は、前記ＰＥＴ作動電源、ＣＴ作動電源が投入され、前記ＰＥＴ作動電源、ＣＴ作動電源により、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、コンソール端末、及び全てのＰＥＴ検知モジュールへ定格電圧での電気エネルギーを提供し、
全てのＰＥＴ検知モジュールにより検出された信号は、前記通信回線により前記ＰＥＴ信号収集と演算分析システムに送信され、ＣＴスキャンフレームにおける前記検知器と参照検知器が受信された信号は、前記通信回線により前記ＣＴ信号収集と演算分析システムに送信され、
前記スキャニングベッドは、ベッドフレームに水平に置かれ、スキャニングベッドとベッドフレームの間にガイドレールが設けられ、スキャニングベッドは、前記ガイドレールに沿って中軸線に平行な方向に前後へ移動でき、
前記ＰＥＴ検知腔の下部には、１つ又は複数のベッドフレームが貫通するボイドがあり、
前記ＰＥＴ検知腔が第１開口と第１エンドカバーを備える場合については、前記ベッドフレーム及び前記電気ガイドレールは、いずれも第１開口で中断された前後の両端を形成し、前記中断により、第１エンドカバーを妨げられることなく開閉できる、ことを特徴とする全身のＰＥＴとＣＴを組み合わせた検出器装置。
【請求項７】
前記ベッドフレームの下で、中軸線方向に沿って幾つかの垂直なピラーが設けられ、各ピラーの下方には、水平で高さ調節可能で安定して支持される１つのピラーベースが設けられ、
前記ガイドレールは、１つのガイドレール全体、又は中軸線の両側にある１つずつの１対のガイドレールである、ことを特徴とする請求項６に記載の全身のＰＥＴとＣＴを組み合わせた検出器装置。
【請求項８】
請求項７に記載の全身のＰＥＴとＣＴを組み合わせた検出器装置を用いて実施される全身のＰＥＴとＣＴを組み合わせた検出方法であって、
１）被検出対象をスキャニングベッドに置き、プレスキャン部分が円柱形状のＣＴスキャン通路の中間に位置するまでスキャニングベッドを内側へ移動させ、ＣＴスキャン検出を行い、複数のＣＴスキャン静止画像を取得するＣＴスキャンステップと、
２）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、
前記被検出対象に対してＰＥＴスキャン検出を行い、複数のＰＥＴスキャン静止画像と少なくとも１つの動的画像を取得し、
前記複数のＰＥＴスキャン静止画像と少なくとも１つの動的画像に応じて、１つ以上の関心のある部分を確定するＰＥＴ検出ステップと、
３）１つ以上の前記関心のある部分から１つの再スキャン部分を選択し、ここでのスキャン部分が円柱形状のＣＴスキャン通路の中間に位置するまでスキャニングベッドに被検出対象を載せて外へ移動させ、さらにＣＴスキャン検出を行い、複数のＣＴスキャン静止画像を取得する再ＣＴスキャンステップとを備える、ことを特徴とする全身のＰＥＴとＣＴを組み合わせた検出方法。
【請求項９】
前記被検出対象は、人体検出モジュール又は人体である、ことを特徴とする請求項８に記載の全身のＰＥＴとＣＴを組み合わせた検出方法。
【請求項１０】
請求項７に記載の全身のＰＥＴとＣＴを組み合わせた検出器装置を用いて実施される全身のＰＥＴとＣＴを組み合わせた検出方法であって、
１）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、
前記被検出対象に対してＰＥＴスキャン検出を行い、複数のＰＥＴスキャン静止画像と少なくとも１つの動的画像を取得し、
前記複数のＰＥＴスキャン静止画像と少なくとも１つの動的画像に応じて、１つ以上の関心のある部分を確定するＰＥＴ検出ステップと、
２）１つ以上の前記関心のある部分から１つの関心のある部分を選択し、ここでの関心のある部分が円柱形状のＣＴスキャン通路の中間に位置するまでスキャニングベッドに被検出対象を載せて外へ移動させ、ＣＴスキャン検出を行い、複数のＣＴスキャン静止画像を取得するＣＴスキャンステップとを備える、ことを特徴とする全身のＰＥＴとＣＴを組み合わせた検出方法。
【発明の詳細な説明】
【技術分野】
【０００１】
本発明は、ＰＥＴ検知器の技術分野に関し、特に、以往技術には現れなかった結晶の配列方式を検知するためにＣＴと並行して使用されるＰＥＴ検知器、及び全身の全角度合致を用いるＰＥＴ検知器に関する。
【背景技術】
【０００２】
ポジトロン放出断層イメージング（Ｐｏｓｉｔｒｏｎ  Ｅｍｉｓｓｉｏｎ  Ｔｏｍｏｇｒａｐｈｙ、以下、ＰＥＴと単に称される）装置は、動物と人体の特異性イメージングに広く使用される。ＰＥＴイメージングの時、先ずポジトロン核種でマークされたトレーサーをスキャン対象に注射し、次にスキャン対象内のトレーサーの分布をイメージングする必要がある。トレーサーによってマークされた部分のイメージングは、特異性が強く、動的にイメージングでき、認識度が高いである。伝統的なＰＥＴ装置の検知器の軸方向の深さは不十分であり、一度にスキャンできるのは比較的限られた部分のみである。全身のＰＥＴ画像を取得したい場合は、８〜１０床の複数の部分スキャン画像をつなぎ合わせて全身イメージングの画像を取得する必要がある。このイメージング方法には２つの問題がある。第１に、イメージング速度が遅く、伝統的な人体ＰＥＴ装置は、各ベッドで１〜５分かかり、軸方向の視野は約２０ｃｍであり、１回の全身イメージングには８〜１０ベッドが必要であり、１回の全身のイメージングには少なくとも８分かかり、追加の計算時間が必要であり、ある装置では５０分もかかる。第２に、ＰＥＴの大きな利点は、トレーサーの動的情報を取得できるが、深さが不十分な検知器では全身のトレーサーの動的情報を取得できず、異なるベッドで取得した画像をつなぎ合わせて全身の動的情報を取得できないことであり、伝統的なＰＥＴ装置の場合、これは完成できない作業であり、伝統的なＰＥＴ機器を図１に示している。
【０００３】
特別な場合において、全身の薬物代謝の状況を得るために、以往技術は、ＰＥＴ装置の軸方向の視野を延びることが現れた。軸方向の視野の長さ／深さが対象の長さを超えるか近づくと、スキャン対象に対して全身の動的イメージングを行うことができる。例えば、Ｃｈｅｒｒｙ等の人によるＳｃｉ．Ｔｒａｎｓｌ．Ｍｅｄ、ｖｏｌ．９、ｅａａｆ６１６９（２０１７）１５Ｍａｒｃｈ２０１７では、人体のＰＥＴの検知器リングの軸方向を２メートルに延びることにより、人体に対しての動的イメージングを行うことができる。ただし、これらの全身のイメージング装置のＰＥＴの検知器リングのサイズは、軸方向全体で完全に同じであり、検知器の長さ／深さのみが軸方向に延長される。この検知器リングの設計の問題点は、スキャン視野の感度が十分に均一でなく、感度は検知器の中央で最も高くなり、位置が検知器の中心から軸に沿って両端に移動することに従って、感度は急速に低下し、検知器の両端の位置は非常に低いレベル、またはゼロにまで低下し、図２は、以往技術の延ばされたＰＥＴ装置を示している。
【０００４】
この現象の理由は、ＰＥＴが合致検知のデータ収集方式を採用しているためであり、５１１ｋｅＶのガンマ線が２つの正反対の検知器結晶で同時に検出される場合、それは真の合致イベントと呼ばれ、これらの２つのガンマ線が１つの有効なポジトロンケースと見なされ、このポジトロンケースの発生位置は、検出したい部分である２つの結晶間の直線上にあり、この直線は反応線Ｌｉｎｅ  ｏｆ  Ｒｅａｃｔｉｏｎと呼ばれ、以下、ＬＯＲと単に呼ばれる。
【０００５】
図４は、以往技術のＰＥＴ検知器のＬＯＲの概略図であり、図の２つの発生位置を比較すると、一方の位置は検知器の軸方向視野の中心にあり、もう一方の位置は軸方向視野の中心ではなく縁にあることがわかる。位置が異なるため、位置によって発生するＬＯＲの検出確率は大きく異なり、中心の発生位置から発生するほとんどのＬＯＲは、水平でないか水平に近くない限り検出でき、縁の発生位置から発生する一部のＬＯＲは、軸方向に対して垂直またはほぼ垂直なもののみが検出でき、非中心の発生位置から検出できるＬＯＲの数は、中心点のＬＯＲの数よりも大幅に少ないため、結果として発生位置がＬＯＲ中心から外れることに従って、感度はどんどん低くなる。ＰＥＴ視野内の任意点の感度は、その点を通過するすべてのＬＯＲがカバーするソリッド角度によって決まり、ＬＯＲがカバーするソリッド角度が大きいほど、この点の感度が高くなり、この感度と位置の関係を図３に示しており、重心に近いほど感度が高く、逆に、縁では感度が非常に低いことがわかる。
【０００６】
これにより、例えば全身のＰＥＴスキャンの時、人間の頭と足の感度が視野の中心にある腹部の感度よりもはるかに低くなり、この問題は、検知器の軸方向の長さを延長するだけでは解決できない。具体的には、検出リングの長さが２メートルであっても、全身の動的画像を観察すると、腹部付近の動的画像のみが観察要件を満たし、頭と足に近い動的画像は、まだ信じられないほどで、適用することはできなく、より良い全身画像を取得するには、２〜３回のステッチが必要である。検知器リングが大幅に長くなり、機器のコストが大幅に高くなるが、上記の分析から、一度に良好な全身画像や全身の動的画像を取得できないことがわかり、頭と足に近づくほど、得られた画像データの信頼性が疑わしくなり、１回限りの全身イメージングや１回限りの全身の動的イメージングの問題を根本的に解決することはできない。
【０００７】
一方、ＣＴなどの伝統的な技術と比較して、ＰＥＴの登場はＣＴなどの伝統的な技術の弱点を効果的に補い、最近ではＰＥＴとＣＴを組み合わせた多くの技術が補完的な利点を持って登場している。
【０００８】
ＰＥＴ−ＣＴ技術の急速な発展は、核医学の分野を活力に満ちたものにするだけでなく、放射線学の分野への大きな関心を呼び起こす。ＰＥＴ−ＣＴを使用すると、核医学の医師は代謝の変化の位置決めをより正確に特定でき、放射線技師は形態と構造の変化の定性をより正確に特定できる。したがって、ＰＥＴ−ＣＴはわずか数年で急速に開発され、絶えず更新されている。ＰＥＴ−ＣＴは２０００年末に正式に商品化されたが、２００３年までにその販売シェアはＰＥＴ全体の６５％を占め、２００４年には９５％に増加した。
【０００９】
現在、商品化されたＰＥＴ−ＣＴを提供しているメーカーは主に３社あり、Ｓｉｅｍｅｎｓ会社とＣＴＩ会社が協力してそれぞれＢｉｏｇｒａｐｈとＲｅｖｅａｌシリーズと名付けている。これらのシリーズは高品質であるが、デザインコンセプトは、依然としてＣＴリングとＰＥＴリングの検知器を直列に接続したものであり、その効果は２つの機器の効果と同じである。ＧＥ会社はＤｉｓｃｏｖｅｒｙ  ＬＳとＤｉｓｃｏｖｅｒｙ  ＳＴシリーズを提供している。このシリーズの製品は、主にＰＥＴとＣＴを混合するか、１つのハウジングに組立されて使用され、装置体積は小さいであるが、相互の電磁的影響は大きく、通常は同時に作動しない。Ｐｈｉｌｉｐｓ会社には、Ｇｅｍｉｎｉ型のＰＥＴ−ＣＴがあり、そのＣＴとＰＥＴが分離されており、中央にボイドがあり、後部は必要に応じて一定距離移動できる。このオープンなデザインは、貫通孔での患者の閉経恐怖症を効果的に軽減し、ＣＴガイド下生検などの一部の操作の検査中に患者に近づくのに役立つ。そのうち、ＣＴの開口部は７０ｃｍ、ＰＥＴの開口部は６３ｃｍである。
【００１０】
既存のＰＥＴ−ＣＴの設計は、ＰＥＴとＣＴの設置をそれぞれ改善し、両者の相乗効果と連動方式を改善し、連動使用の利便性を向上させ、スペースを節約するなどであることがわかる。既存のＣＴ装置には、全身を一度にスキャンできるＰＥＴ装置が搭載されていなく、この連動により生成される画像情報は、リングＣＴとリングＰＥＴの画像のままであり、一度に全身画像を提供することはできないが、一度に全身の動的画像は言うまでもなく、ＬＯＲを捕捉するための提供された画像の感度も不十分であり、この単純なジョイントによって得られたＰＥＴ−ＣＴ間の結果は、通常の相互参照値しかなく、強力なガイダンス情報を提供することはできない。
【発明の概要】
【００１１】
本発明の第１目的は、以往技術に存在するＣＴ−ＰＥＴが通常のリング式ＣＴおよびＰＴＥの単純な追加であるという問題を解決することである。それは全身画像および全身の動的画像を一度に生成することはできないが、頭や胸などのある部分の通常のＣＴ画像と、感度が不十分なＰＥＴ画像との比較情報しか生成できなく、基準値が不十分であるというジレンマがある。有効な解決方案がない状況に対して、完全なＰＥＴ−ＣＴ検知器の方案を提供する。この装置では、信頼性の高い高感度の全身画像を一度に取得でき、ＣＴ画像をターゲットにすることもできる。この問題を解決する方法は、以往技術にはまだ現れておらず、以往技術でさえ、以往技術におけるＰＥＴまたはＰＥＴ−ＣＴの感度欠陥の問題を明確に提起していない。以往技術では、ＰＥＴ検知腔を長くすることで全身画像が得られると考えられていたが、そのような全身画像がまだ使用に適さず、要件を満たしていないことは考えられなかった。このように、先ず全身のＰＥＴ画像グループを取得すると、ＣＴスキャンの実行方法、スキャン部分、およびスキャン方法については、明確で適切なガイダンスが得られる。
【００１２】
全身のＰＥＴとＣＴを組み合わせた検出器であって、中軸線を共有し前後に配置されたＣＴスキャンフレームとＰＥＴ検知腔を備え、前記ＣＴスキャンフレームは、ハウジングと、中軸線に垂直な円柱形状のＣＴスキャン通路を備え、前記ＰＥＴ検知腔は、互いに隣接する複数のＰＥＴ検知モジュールによって形成され、ＰＥＴ検知結晶は、いずれも腔内方向へ配置され、前記ＰＥＴ検知腔は、全体として封止され、又は前記ＣＴスキャンフレームに隣接する側に第１開口が形成され、前記複数のＰＥＴ検知モジュールにおける各ＰＥＴ検知モジュールは、いずれもＰＥＴ検知結晶、光電センサーアレイ、ライトガイドからなり、前記第１開口を除いて、このＰＥＴ検知腔の全てのボイド断面積は、いずれも前記ＰＥＴ検知結晶の最小の１つの検知表面積よりも小さい、ことを特徴とする全身のＰＥＴとＣＴを組み合わせた検出器である。
【００１３】
前記ＣＴスキャンフレームには、Ｘ線球管、線フィルター、コリメーター、参照検知器、検知器が含まれるが、これらに限定されない。
【００１４】
前記ＰＥＴ検知腔が全体として封止された時、前記ＰＥＴ検知腔は、第１形態、第２形態、第３形態、第４形態の何れかであり、且つ中軸線に垂直な前記ＰＥＴ検知腔の１端は、人体モジュール全体が進出することを許可する第１エンドカバーを有し、この第１エンドカバーは、ＰＥＴ検知腔に対して開いて完全に閉じることができる機械構造が配置され、１）前記第１形態は、前記ＰＥＴ検知腔が円柱形状形態であり、中間のバレル部と両端の２つの平面エンドカバーからなり、このバレル部は、円柱形状を形成するように幾つかの検知モジュールリングにより密接に配列され、各検知モジュールリングは、一定の数の検知モジュールが結晶が内に向かうように円周に配列されてリング状になり、この平面エンドカバーは、一定の数の検知モジュールが結晶検知面が内に向かうように平行に配列され円盤形状又は略円盤形状になり、それによって形成される略円形状の平面エンドカバーの内側面の寸法は、前記バレル部の円形状開口よりも大きく、第１形態での前記第１エンドカバーは、２つの前記平面エンドカバーのうちの１つであり、２）前記第２形態は、前記ＰＥＴ検知腔がカプセル形状形態であり、中間のバレル部と両端の２つの内凹の曲面形状のエンドカバーからなり、このバレル部は、円柱形状を形成するように幾つかの検知モジュールリングにより密接に配列され、各検知モジュールリングは、一定の数の検知モジュールが結晶の検知面が内に向かうように円周に配列されてリング状になり、この内凹の曲面形状のエンドカバーは、一定の数の検知モジュールが結晶の検知面が内へ凹むように一定の曲面弧度に配列され、それによって形成される内凹の曲面形状のエンドカバーのバレル部の軸線に垂直な横断面は、前記バレル部の円形状開口よりも大きく、前記内凹の曲面形状のエンドカバーは、具体的には半球形状のエンドカバー、半分未満の楕球形状のエンドカバー、又は半分未満の球キャップ形状のエンドカバーの三つの状況の何れかであり、第１形態での前記第１エンドカバーは、２つの前記内凹の曲面形状のエンドカバーのうちの一つであり、３）前記第３形態は、前記ＰＥＴ検知腔が楕球形状形態であり、ａ＞ｂ＝ｃであり、上下の半分楕球又は左右の半分楕球からなるか、左右の半分楕球の中間にバレルのうちの１つを挟むようにかななり、前記上下の半分楕球は、鏡面対称であり、前記左右の半分楕球は、鏡面対称であり、このバレル部は、円柱形状を形成するように幾つかの検知モジュールリングにより密接に配列され、又はａ＞ｂ＝ｃを満たすある楕球体の中部状を取り、このバレル部における各検知モジュールリングは、一定の数の検知モジュールが結晶の検知面が内に向かうように円周に配列されてリング状になり、前記第３形態での第１エンドカバーは、中軸線に垂直な検知腔の１端に位置し、形状がａ＞ｂ＝ｃであるａ軸の端側から取られ、４）前記第４形態は、前記ＰＥＴ検知腔が正多面形の柱状形態であり、中間のバレル部と両端の２つの平面エンドカバーからなり、このバレル部は、正多面形の柱状を形成するように幾つかの検知モジュールリングにより密接に配列され、各検知モジュールリングは、一定の数の検知モジュールが結晶の検知面が内に向かうように円周に配列され正多角の形状になり、この平面エンドカバーは、一定の数の検知モジュールが結晶の検知面が内に向かうように平行に配列され円盤形状、略円盤形状、正多角の形状、略正多角の形状の何れかになり、それによって形成される略円形状の平面エンドカバーの内側面の寸法は、前記バレル部の正多角の形状の開口よりも大きく、第４形態での前記第１エンドカバーは、２つの前記平面エンドカバーのうちの１つである。
【００１５】
前記ＰＥＴ検知腔は、ＣＴスキャンフレームに隣接する側に第１開口が形成され、このＰＥＴ検知腔は、上記の第１エンドカバーを除いた第１形態、第２形態、第３形態、第４形態のいずれかである。
【００１６】
２つのＰＥＴ検知モジュール間ごとに、いずれも合致回路が接続され、各前記ＰＥＴ検知モジュールの具体的な構造は、検知器ハウジング、光電センサーアレイ、ライトガイド、ＰＥＴ検知結晶が外から内に順に設置され、ライトガイドは、光電センサーアレイに密接に結合され、ＰＥＴ検知結晶にも密接に結合され、前記ＰＥＴ検知結晶材料は、シンチレーション結晶であり、このシンチレーション結晶は、１つ以上の結晶ブロックからなり、前記第４形態では、前記正多角形プリズムは、正六角形プリズム又は正八角形プリズムであり、前記正多角の形状は、正六角形又は正八角形である。
【００１７】
前記ＰＥＴ検知結晶の内への面は、いずれも平面又は略平面であり、前記結晶ブロックは、具体的には複数の結晶ストリップから構成される結晶ストリップアレイからなるか、１つ以上の全体に切割された結晶からなり、前記シンチレーション結晶の材料は、ゲルマニウム酸ビスマス（ＢＧＯ）結晶、ヨウ化ナトリウム（ＮａＩ）結晶、ＮａＩ（Ｔｌ）単結晶、ケイ酸ルテチウム（ＬＳＯ）結晶、ケイ酸ガドリニウム（ＧＳＯ）結晶、イットリウムルテチウム（ＬＹＳＯ）のうちの１つまたは複数から選択される。
【００１８】
各検知モジュールリング間には、高原子数物質からなるスペーサーが組立されるか、一部の検知モジュールリング間には、高原子数物質からなるスペーサーが組立されるか、全ての検知モジュールリング間には、いずれもスペーサーが組立されない。
【００１９】
前記高原子数物質は、鉛又はタングステンである。
【００２０】
本発明は、全身のＰＥＴとＣＴを組み合わせた検出器装置をさらに提供し、給電回路、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、ＰＥＴ作動電源、ＣＴ作動電源、コンソール端末をさらに有することを特徴とする全身のＰＥＴとＣＴを組み合わせた検出器装置である。
【００２１】
このＰＥＴサポートブラケットは、前記ＰＥＴ検知腔の全ての複数のＰＥＴ検知モジュールを固定及び支持し、このＰＥＴサポートブラケットは、前記検知腔を連行して任意角度で回動させ、前記検知腔を連行して任意方向へ並進させることもできる。
【００２２】
前記配置されたＰＥＴ検知腔に対して開いて完全に閉じることができる機械構造は、第１エンドカバーの自動又は手動開閉と連動するヒンジ構造であるか、第１エンドカバーを中軸線に垂直な状態まま回転させ開閉させる回転機構であるか、第１エンドカバーを中軸線に垂直な状態まま並進させ開閉させる並進機構である。
【００２３】
このＰＣ端末には、ＰＥＴ信号収集と演算分析システム、及びＣＴ信号収集と演算分析システムが備える。
【００２４】
この給電回路は、前記ＰＥＴ作動電源、ＣＴ作動電源が投入され、前記ＰＥＴ作動電源、ＣＴ作動電源により、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、コンソール端末、及び全てのＰＥＴ検知モジュールへ定格電圧での電気エネルギーを提供する。
【００２５】
全てのＰＥＴ検知モジュールにより検出された信号は、前記通信回線により前記ＰＥＴ信号収集と演算分析システムに送信され、ＣＴスキャンフレームにおける前記検知器と参照検知器が受信された信号は、前記通信回線により前記ＣＴ信号収集と演算分析システムに送信される。
【００２６】
前記スキャニングベッドは、ベッドフレームに水平に置かれ、スキャニングベッドとベッドフレームの間にガイドレールが設けられ、スキャニングベッドは、前記ガイドレールに沿って中軸線に平行な方向に前後へ移動できる。
【００２７】
前記ＰＥＴ検知腔の下部には、１つ又は複数のベッドフレームが貫通するボイドがあり、前記ＰＥＴ検知腔が第１開口と第１エンドカバーを備える場合については、前記ベッドフレーム及び前記電気ガイドレールは、いずれも第１開口で中断された前後の両端を形成し、前記中断により、第１エンドカバーを妨げられることなく開閉できる。
【００２８】
前記ベッドフレームの下で、中軸線方向に沿って幾つかの垂直なピラーが設けられ、各ピラーの下方には、水平で高さ調節可能で安定して支持される１つのピラーベースが設けられ、前記ガイドレールは、１つのガイドレール全体、又は中軸線の両側にある１つずつの１対のガイドレールである。
【００２９】
前記の全身のＰＥＴとＣＴを組み合わせた検出器装置を用いて実施される全身のＰＥＴとＣＴを組み合わせた検出方法であって、１）被検出対象をスキャニングベッドに置き、プレスキャン部分が円柱形状のＣＴスキャン通路の中間に位置するまでスキャニングベッドを内側へ移動させ、ＣＴスキャン検出を行い、複数のＣＴスキャン静止画像を取得するＣＴスキャンステップと、２）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、前記被検出対象に対してＰＥＴスキャン検出を行い、複数のＰＥＴスキャン静止画像と少なくとも１つの動的画像を取得し、前記複数のＰＥＴスキャン静止画像と少なくとも１つの動的画像に応じて、１つ以上の関心のある部分を確定するＰＥＴ検出ステップと、３）１つ以上の前記関心のある部分から１つの再スキャン部分を選択し、ここでのスキャン部分が円柱形状のＣＴスキャン通路の中間に位置するまでスキャニングベッドに被検出対象を載せて外へ移動させ、さらにＣＴスキャン検出を行い、複数のＣＴスキャン静止画像を取得する再ＣＴスキャンステップとを備える、ことを特徴とする全身のＰＥＴとＣＴを組み合わせた検出方法である。
【００３０】
前記被検出対象は、人体検出モジュール又は人体である。
【００３１】
前記の全身のＰＥＴとＣＴを組み合わせた検出器装置を用いて実施される全身のＰＥＴとＣＴを組み合わせた検出方法であって、１）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、前記被検出対象に対してＰＥＴスキャン検出を行い、複数のＰＥＴスキャン静止画像と少なくとも１つの動的画像を取得し、前記複数のＰＥＴスキャン静止画像と少なくとも１つの動的画像に応じて、１つ以上の関心のある部分を確定するＰＥＴ検出ステップと、２）１つ以上の前記関心のある部分から１つの関心のある部分を選択し、ここでの関心のある部分が円柱形状のＣＴスキャン通路の中間に位置するまでスキャニングベッドに被検出対象を載せて外へ移動させ、ＣＴスキャン検出を行い、複数のＣＴスキャン静止画像を取得するＣＴスキャンステップとを備える、ことを特徴とする全身のＰＥＴとＣＴを組み合わせた検出方法である。
【００３２】
本発明の利点は、２点に分割できることであり、第１に、全身画像と全身の動的画像を一度に取得する問題を完全に解決することであり、本発明の検知器により、真の合致イベントのほぼすべてのＬＯＲを瞬時に捕捉できるため、基本的に１回のイメージングの成功率が保証される。第２に、イベント捕捉の感度の問題が完全に解決される。たとえば、検知器の長さを長くするという観点からのみ考慮した場合、１メートルを超える人体のすべての発生位置を高感度で捕捉する場合、検知器の長さを４メートルにする必要があり、全身を捕捉する感度は要件を満たすことができる。ゲルマニウム酸ビスマスなどの結晶は高価であるため、これは非常に不経済であるが、本発明の方法は長さ４メートルの検知器リングよりも必要な材料が少ないが、効果はより良く、ほとんどすべての発生部分の感度はほぼ同じ効果である。これは以往技術では誰も考えていなく、誰もこれを達成できない。第３に、ＰＥＴ−ＣＴで得られる画像の価値をさらに高める一方、ＣＴと同時に得られるＰＥＴ画像は全身であるだけでなく、また、感度が非常に高く、解像度が非常に高く、全身の動的画像が得られるため、基準値が倍になる。別の例として、先ず全身のＰＥＴ検出を行って非常に強力な指向性情報を取得した後、関心のある部分に対して詳細なＣＴ検出を行い。このようにして得られた画像情報は非常に強い指向性を持っており、一般的なＰＥＴ−ＣＴを組み合わせた「ブラインドテスト」と比較して非常に実用的な価値がある。
【図面の簡単な説明】
【００３３】
本発明の実施例または以往技術の技術案をより明確に説明するために、以下は、実施例または以往技術の説明に使用する必要のある図面を簡単に紹介する。明らかに、以下の説明の図面は、本発明のいくつかの実施例である。当業者にとって、他の図面は、創造的な作業なしに、これらの図面に基づいて得ることができる。
【００３４】
【図１】は、以往技術の伝統的なＰＥＴ検知器リングと被検出対象の概略図である。
【図２】は、近年出現した軸方向に延びされた検知器リングと被検出対象の概略図である。
【図３】は、内部の各部分に対する軸方向に延びされた検知器リングの異なる感度の概略図である。
【図４】は、軸方向に延びされた検知器リングにおける異なる検出点のＬＯＲを捕捉できる概略図である。
【図５】は、ＰＥＴ−ＣＴにおけるＰＥＴ検知腔が第１開口を有する概略図であり、それは、中間の円柱形状のバレル部と外側の１端の半球形状の封止端部からなり、内側は、第１開口として開かれる。
【図６】は、ＰＥＴ−ＣＴにおけるＰＥＴ検知腔が第１開口を有する概略図であり、それは、中間の円柱形状のバレル部と内側の１端の約１／４の球形状により制限された第１開口からなり、外側が半球形状の端部に封止される。
【図７】は、ＰＥＴ−ＣＴにおけるＰＥＴ検知腔が第１開口と外側の第２開口を有する概略図であり、内側の１端の約１／４の球形状により第１開口が制限され、外側の１端の約１／４の球形状により第２開口が制限された。
【図８】は、ハウジングの一部が切り取られたＰＥＴ検知モジュールの概略図である。
【符号の説明】
【００３５】
符号に対応する装置は、以下のようになる。
１  スキャニングベッド、２  電気ガイドレール、３  ベッドフレーム、４  ＣＴスキャンフレーム、５  ＰＥＴ検知腔、６  ＰＥＴ検知モジュール、７  ＰＥＴ検知モジュール、８  光電センサーアレイ、９  ライトガイド、１０  ＰＥＴ検知結晶。
【００３６】
本発明の好ましい実施例は、添付の図面と併せて以下に詳細に説明されるので、本発明の利点および特徴は、当業者により容易に理解され、本発明の保護範囲は、より明確に定義される。
【発明を実施するための形態】
【００３７】
実施例１
全身のＰＥＴとＣＴを組み合わせた検出器であって、中軸線を共有し前後に配置されたＣＴスキャンフレームとＰＥＴ検知腔を備え、前記ＣＴスキャンフレームは、ハウジングと、中軸線に垂直な円柱形状のＣＴスキャン通路を備え、前記ＰＥＴ検知腔は、互いに隣接する複数のＰＥＴ検知モジュールによって形成され、ＰＥＴ検知結晶は、いずれも腔内方向へ配置され、前記ＰＥＴ検知腔は、全体として封止され、又は前記ＣＴスキャンフレームに隣接する側に第１開口が形成され、前記複数のＰＥＴ検知モジュールにおける各ＰＥＴ検知モジュールは、いずれもＰＥＴ検知結晶、光電センサーアレイ、ライトガイドからなり、前記第１開口を除いて、このＰＥＴ検知腔の全てのボイド断面積は、いずれも前記ＰＥＴ検知結晶の最小の１つの検知表面積よりも小さい、ことを特徴とする全身のＰＥＴとＣＴを組み合わせた検出器である。これには、本願のコアとなる発明思想が含まれ、つまり、ＣＴスキャンフレームと全身ＰＥＴ検知腔が順番に配列されている。ここでは、２つの腔室を順番に並列して配置し、１つのスキャンベッドが被検出対象を連行して、両者間を簡単に移動できるだけで、全身のＰＥＴとＣＴのシンプルで直接的な組み合わせを実現でき、両者の利点を直接補完することができる。
【００３８】
前記ＣＴスキャンフレームには、Ｘ線球管、線フィルター、コリメーター、参照検知器、検知器が含まれるが、これらに限定されない。ここでの説明は最も一般的なＣＴスキャンフレームであるが、現在、類似した設置、または類似する機能を持つ他のＣＴスキャンフレームの構造がここに適用される。
【００３９】
前記ＰＥＴ検知腔が全体として封止された時、前記ＰＥＴ検知腔は、第１形態、第２形態、第３形態、第４形態の何れかであり、且つ中軸線に垂直な前記ＰＥＴ検知腔の１端は、人体モジュール全体が進出することを許可する第１エンドカバーを有し、この第１エンドカバーは、ＰＥＴ検知腔に対して開いて完全に閉じることができる機械構造が配置され、１）前記第１形態は、前記ＰＥＴ検知腔が円柱形状形態であり、中間のバレル部と両端の２つの平面エンドカバーからなり、このバレル部は、円柱形状を形成するように幾つかの検知モジュールリングにより密接に配列され、各検知モジュールリングは、一定の数の検知モジュールが結晶が内に向かうように円周に配列されてリング状になり、この平面エンドカバーは、一定の数の検知モジュールが結晶検知面が内に向かうように平行に配列され円盤形状又は略円盤形状になり、それによって形成される略円形状の平面エンドカバーの内側面の寸法は、前記バレル部の円形状開口よりも大きく、第１形態での前記第１エンドカバーは、２つの前記平面エンドカバーのうちの１つであり、２）前記第２形態は、前記ＰＥＴ検知腔がカプセル形状形態であり、中間のバレル部と両端の２つの内凹の曲面形状のエンドカバーからなり、このバレル部は、円柱形状を形成するように幾つかの検知モジュールリングにより密接に配列され、各検知モジュールリングは、一定の数の検知モジュールが結晶の検知面が内に向かうように円周に配列されてリング状になり、この内凹の曲面形状のエンドカバーは、一定の数の検知モジュールが結晶の検知面が内へ凹むように一定の曲面弧度に配列され、それによって形成される内凹の曲面形状のエンドカバーのバレル部の軸線に垂直な横断面は、前記バレル部の円形状開口よりも大きく、前記内凹の曲面形状のエンドカバーは、具体的には半球形状のエンドカバー、半分未満の楕球形状のエンドカバー、又は半分未満の球キャップ形状のエンドカバーの三つの状況の何れかであり、第１形態での前記第１エンドカバーは、２つの前記内凹の曲面形状のエンドカバーのうちの一つであり、３）前記第３形態は、前記ＰＥＴ検知腔が楕球形状形態であり、ａ＞ｂ＝ｃであり、上下の半分楕球又は左右の半分楕球からなるか、左右の半分楕球の中間にバレルのうちの１つを挟むようにかななり、前記上下の半分楕球は、鏡面対称であり、前記左右の半分楕球は、鏡面対称であり、このバレル部は、円柱形状を形成するように幾つかの検知モジュールリングにより密接に配列され、又はａ＞ｂ＝ｃを満たすある楕球体の中部状を取り、このバレル部における各検知モジュールリングは、一定の数の検知モジュールが結晶の検知面が内に向かうように円周に配列されてリング状になり、前記第３形態での第１エンドカバーは、中軸線に垂直な検知腔の１端に位置し、形状がａ＞ｂ＝ｃであるａ軸の端側から取られ、４）前記第４形態は、前記ＰＥＴ検知腔が正多面形の柱状形態であり、中間のバレル部と両端の２つの平面エンドカバーからなり、このバレル部は、正多面形の柱状を形成するように幾つかの検知モジュールリングにより密接に配列され、各検知モジュールリングは、一定の数の検知モジュールが結晶の検知面が内に向かうように円周に配列され正多角の形状になり、この平面エンドカバーは、一定の数の検知モジュールが結晶の検知面が内に向かうように平行に配列され円盤形状、略円盤形状、正多角の形状、略正多角の形状の何れかになり、それによって形成される略円形状の平面エンドカバーの内側面の寸法は、前記バレル部の正多角の形状の開口よりも大きく、第４形態での前記第１エンドカバーは、２つの前記平面エンドカバーのうちの１つである。上記の４つの形態は完全なリストではなく、実際、無駄が少なく、人体対象の全身カバレッジ検出に適した上記の４つの形態の類似する形状は、いずれも出願人によって試行的に作成され操作でき、上記は、製造と設計のいくつかの比較的単純な方法の説明にすぎない。
【００４０】
前記ＰＥＴ検知腔は、ＣＴスキャンフレームに隣接する側に第１開口が形成され、このＰＥＴ検知腔は、上記の第１エンドカバーを除いた第１形態、第２形態、第３形態、第４形態のいずれかである。
【００４１】
２つのＰＥＴ検知モジュール間ごとに、いずれも合致回路が接続され、各前記ＰＥＴ検知モジュールの具体的な構造は、検知器ハウジング、光電センサーアレイ、ライトガイド、ＰＥＴ検知結晶が外から内に順に設置され、ライトガイドは、光電センサーアレイに密接に結合され、ＰＥＴ検知結晶にも密接に結合され、前記ＰＥＴ検知結晶材料は、シンチレーション結晶であり、このシンチレーション結晶は、１つ以上の結晶ブロックからなり、前記第４形態では、前記正多角形プリズムは、正六角形プリズム又は正八角形プリズムであり、前記正多角の形状は、正六角形又は正八角形である。上記の光電センサーアレイ、ライトガイド、ＰＥＴ検知結晶の設計方法は、全身をカバーする検知腔を連動して、ほぼすべてのＬＯＲイベントを捕捉でき、検出感度は非常に高くなっている。
【００４２】
前記ＰＥＴ検知結晶の内への面は、いずれも平面又は略平面であり、前記結晶ブロックは、具体的には複数の結晶ストリップから構成される結晶ストリップアレイからなるか、１つ以上の全体に切割された結晶からなり、前記シンチレーション結晶の材料は、ゲルマニウム酸ビスマス（ＢＧＯ）結晶、ヨウ化ナトリウム（ＮａＩ）結晶、ＮａＩ（Ｔｌ）単結晶、ケイ酸ルテチウム（ＬＳＯ）結晶、ケイ酸ガドリニウム（ＧＳＯ）結晶、イットリウムルテチウム（ＬＹＳＯ）のうちの１つまたは複数から選択される。これを除いて、ポジトロン捕捉に適した他の市販の検出結晶も、本願の技術案に適している。
【００４３】
各検知モジュールリング間には、高原子数物質からなるスペーサーが組立されるか、一部の検知モジュールリング間には、高原子数物質からなるスペーサーが組立されるか、全ての検知モジュールリング間には、いずれもスペーサーが組立されない。前記高原子数物質は、鉛又はタングステンであることが好ましい。
【００４４】
実施例２
前記の全身のＰＥＴとＣＴを組み合わせた検出器を備える検出器装置であって、給電回路、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、ＰＥＴ作動電源、ＣＴ作動電源、コンソール端末をさらに有することを特徴とする全身のＰＥＴとＣＴを組み合わせた検出器装置である。
【００４５】
このＰＥＴサポートブラケットは、前記ＰＥＴ検知腔の全ての複数のＰＥＴ検知モジュールを固定及び支持し、このＰＥＴサポートブラケットは、前記検知腔を連行して任意角度で回動させ、前記検知腔を連行して任意方向へ並進させることもできる。ここでのＰＥＴサポートブラケットの固定および移動機能により、この検知腔を上下、左右、回転、およびさまざまな位置に調整して、他の機器との調整の下で調整のニーズを満たすことができ、さまざまな複雑な状況の検出ニーズを満たすことができる。
【００４６】
前記配置されたＰＥＴ検知腔に対して開いて完全に閉じることができる機械構造は、第１エンドカバーの自動又は手動開閉と連動するヒンジ構造であるか、第１エンドカバーを中軸線に垂直な状態まま回転させ開閉させる回転機構であるか、第１エンドカバーを中軸線に垂直な状態まま並進させ開閉させる並進機構である。第１のエンドカバーの自動または手動の開閉と連動するこのヒンジ構造は、具体的には、水平に回転して開閉し、一般的なドラム洗浄機の開閉方法に特に類似している。第１エンドカバーを中軸線に垂直な状態まま回転させ開閉させる回転機構は、中軸線に垂直な垂直面で回転する開閉方法である。この方法では、シーリングを容易にするために、第１エンドカバーと検知腔に適切なゴム製シーリング部品を設計する必要がある。第１エンドカバーを中軸線に垂直な状態まま並進させ開閉させる並進機構は、具体的には、第１のエンドカバーがスライドインおよびスライドアウトできるように、検知腔の少なくとも２つの側面にスライド溝のを設計することができる。
【００４７】
このＰＣ端末には、ＰＥＴ信号収集と演算分析システム、及びＣＴ信号収集と演算分析システムが備える。２つのシステムも、予設された調整値に従って、ＣＴおよびＰＥＴスキャン信号を受信し、時系列に従って複雑な画像またはビデオストリームに変換できる。
【００４８】
この給電回路は、前記ＰＥＴ作動電源、ＣＴ作動電源が投入され、前記ＰＥＴ作動電源、ＣＴ作動電源により、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、コンソール端末、及び全てのＰＥＴ検知モジュールへ定格電圧での電気エネルギーを提供する。
【００４９】
全てのＰＥＴ検知モジュールにより検出された信号は、前記通信回線により前記ＰＥＴ信号収集と演算分析システムに送信され、ＣＴスキャンフレームにおける前記検知器と参照検知器が受信された信号は、前記通信回線により前記ＣＴ信号収集と演算分析システムに送信される。このような通信回線は、たとえば、シリアルバス、ＩＤＥ回線、またはデータ光ファイバである。
【００５０】
前記スキャニングベッドは、ベッドフレームに水平に置かれ、スキャニングベッドとベッドフレームの間にガイドレールが設けられ、スキャニングベッドは、前記ガイドレールに沿って中軸線に平行な方向に前後へ移動できる。ＰＥＴ検知腔を完全に封止する必要がある場合、つまり第１端口を有する場合、ガイドレールとベッドフレームを両端に設定できる場合、たとえば、中央で３０〜６０ｃｍの中断がある。この設計では、ＰＥＴ検知腔が完全に封止することを考慮に入れるだけでなく、内へ移動するときにスキャンベッドが脱線または落下するのを防ぎ、スキャンベッドは、落下する前に中断の前でガイドレールに接続される。
【００５１】
前記ＰＥＴ検知腔の下部には、１つ又は複数のベッドフレームが貫通するボイドがあり、前記ＰＥＴ検知腔が第１開口と第１エンドカバーを備える場合については、前記ベッドフレーム及び前記電気ガイドレールは、いずれも第１開口で中断された前後の両端を形成し、前記中断により、第１エンドカバーを妨げられることなく開閉できる。たとえば、ＰＥＴ検知腔の下部には、３つのベッドフレームが貫通するためのボイドがある。たとえば、ＰＥＴ検出キャビティの外側にガイドレール全体をサポートする５つのベッドフレームがある。
【００５２】
前記ベッドフレームの下で、中軸線方向に沿って幾つかの垂直なピラーが設けられ、各ピラーの下方には、水平で高さ調節可能で安定して支持される１つのピラーベースが設けられ、前記ガイドレールは、１つのガイドレール全体、又は中軸線の両側にある１つずつの１対のガイドレールである。
【００５３】
実施例３
図５に示されたように、スキャニングベッドの設置高さは、その上にある人体モジュールの中心線が装置の中軸線とほぼ一致するようになっている。スキャニングベッド１が前後に移動するとき、人体モデルの中心線は、基本的に中軸線と一致するか、またはわずかなズレを有する。電気ガイドレール２の可動性により、スキャニングベッド１を前後に移動することができ、ガイドレール２は全体であり、ガイドレール２の中心線は中軸線に平行であり、中軸線よりわずかに下に位置しているため、人体または人体モジュールの中心線は中軸線と一致し、スキャニングベッド１の両側の下端には、内へ座屈するスライドバックル部を有し、ガイドレール２の両側で正確に座屈されるので、スキャニングベッドは、移動中のスキャニングベッドの水平を確保するために中軸線の両側に位置される。図５は１つのベッドフレームのみを示しているが、実際には、例えば、ＣＴスキャンフレームの外側に１つ、ＣＴスキャンフレームの内側に１つ、水平を保持するためにガイドレールの中断での両端に１つ、ＰＥＴ検知腔の下部からの隙間を通じてＰＥＴ検知腔の内部に挿入する少なくとも２つ、という少なくとも６つのベッドフレームが必要である。ここのボイドはベッドフレームの挿入しかできないので、検出感度に大きな影響はない。
【００５４】
実施例４
前記の全身のＰＥＴとＣＴを組み合わせた検出器装置を用いて実施される全身のＰＥＴとＣＴを組み合わせた検出方法であって、１）被検出対象をスキャニングベッドに置き、プレスキャン部分が円柱形状のＣＴスキャン通路の中間に位置するまでスキャニングベッドを内側へ移動させ、ＣＴスキャン検出を行い、複数のＣＴスキャン静止画像を取得するＣＴスキャンステップと、２）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、前記被検出対象に対してＰＥＴスキャン検出を行い、複数のＰＥＴスキャン静止画像と少なくとも１つの動的画像を取得し、前記複数のＰＥＴスキャン静止画像と少なくとも１つの動的画像に応じて、１つ以上の関心のある部分を確定するＰＥＴ検出ステップと、３）１つ以上の前記関心のある部分から１つの再スキャン部分を選択し、ここでのスキャン部分が円柱形状のＣＴスキャン通路の中間に位置するまでスキャニングベッドに被検出対象を載せて外へ移動させ、さらにＣＴスキャン検出を行い、複数のＣＴスキャン静止画像を取得する再ＣＴスキャンステップとを備える、ことを特徴とする全身のＰＥＴとＣＴを組み合わせた検出方法である。前記被検出対象は、人体検出モジュール又は人体である。
【００５５】
このように、ＰＥＴ−ＣＴ検出を使用して、ＣＴ結果を効果的に修正したり、ＣＴ検出の方法を効果的に変更したりできる。ＣＴスキャンの特性により、検出結果の直観性、完全性、正確性についての理解が不十分であり、必要な画像読み取りの経験が非常に高くなっているが、ＰＥＴの結果の助けを借りて、ＣＴの結果を効果的に修正したり、より良いＣＴの結果を得ることができる。
【００５６】
実施例５
前記の全身のＰＥＴとＣＴを組み合わせた検出器装置を用いて実施される全身のＰＥＴとＣＴを組み合わせた検出方法であって、１）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、前記被検出対象に対してＰＥＴスキャン検出を行い、複数のＰＥＴスキャン静止画像と少なくとも１つの動的画像を取得し、前記複数のＰＥＴスキャン静止画像と少なくとも１つの動的画像に応じて、１つ以上の関心のある部分を確定するＰＥＴ検出ステップと、２）１つ以上の前記関心のある部分から１つの関心のある部分を選択し、ここでの関心のある部分が円柱形状のＣＴスキャン通路の中間に位置するまでスキャニングベッドに被検出対象を載せて外へ移動させ、ＣＴスキャン検出を行い、複数のＣＴスキャン静止画像を取得するＣＴスキャンステップとを備える、ことを特徴とする全身のＰＥＴとＣＴを組み合わせた検出方法である。
【００５７】
ＰＥＴとＣＴを組み合わせた検出の利点は、たとえば、一般的な身体検査中に、可能性のある病変の場所がまったくわからない場合、全身のＰＥＴモニタリングに依存することで、ＣＴがセグメント化された推定スキャンを実行しなくても、病変を直接明確に見つけることができる。全身ＰＥＴとＣＴを組み合わせた場合、まず全身ＰＥＴスキャンを行い、最短時間で病変を発見し、ＣＴスキャンのどの部分とどのように行うかを判断することで、検出効率と妥当性をある程度向上させることができる。
【００５８】
上記は、本発明の具体的な実施形態に過ぎないが、本発明の保護範囲はそれに限定されない。創造的な作業を通じて考えられないいかなる変更または置換も、本発明の保護範囲に含まれるものとする。したがって、本発明の保護範囲は、特許請求の範囲によって限定される保護範囲に従うべきである。
【００５９】
実施例６
２つのＰＥＴ検知モジュール間ごとに、いずれも合致回路が接続され、各前記ＰＥＴ検知モジュールの具体的な構造は、検知器ハウジングを外面に包み、光電センサーアレイを外に設置し、ＰＥＴ検知結晶を内に設置し、光電センサーアレイとＰＥＴ検知結晶の間にライトガイドが設置され、ライトガイドは、光電センサーアレイに密接に結合され、ＰＥＴ検知結晶にも密接に結合され、前記ＰＥＴ検知結晶は、シンチレーション結晶である。
【００６０】
前記合致回路はＬＯＲの計算に必要であり、真の合致イベントのＬＯＲを最も迅速に除外できる。ＰＥＴ検出結晶の外側の前記検知器ハウジングの部分は、開口部として設計され、又は、使用される材料は、ポジトロン放出信号の収集に影響を与えない。
【００６１】
前記シンチレーション結晶は、結晶ストリップアレイからなり、前記結晶ストリップアレイは、複数の結晶ストリップからなるか、１つ以上の結晶ブロックからなる。前記１つ以上の結晶ブロックの各々は、１つ以上の全体に切割された結晶からなる。上記の２つの加工設置を提案し、結晶ブロック方法は加工が簡単で、前記結晶ストリップアレイ方法はライトガイドとの結合効果が高く、応答速度が速くなる。
【００６２】
前記シンチレーション結晶の材料は、ゲルマニウム酸ビスマス（ＢＧＯ）結晶、ヨウ化ナトリウム（ＮａＩ）結晶、ＮａＩ（Ｔｌ）単結晶、ケイ酸ルテチウム（ＬＳＯ）結晶、ケイ酸ガドリニウム（ＧＳＯ）結晶、イットリウムルテチウム（ＬＹＳＯ）のうちの１つまたは複数から選択される。実験後、既存のすべてのシンチレーション結晶は、いずれも本願のＰＥＴ検知に使用することができ、実際に使用できるのは上記の結晶タイプに限定されなく、他の使用可能なシンチレーション結晶も、本願のＰＥＴ検知結晶に使用できる。
【００６３】
各検知モジュールリング間には、高原子数物質からなるスペーサーが組立されるか、一部の検知モジュールリング間には、高原子数物質からなるスペーサーが組立されるか、全ての検知モジュールリング間には、いずれもスペーサーが組立されない。前記高原子数物質は、鉛又はタングステンである。この技術案は、スペーサーがまったく組立されなくても実施できるが、スペーサーを取り付けると、ＰＥＴ検知モジュール間のクロストークと電磁的影響を適切に減らすことができ、これは、考慮できる方法であり、ここでのスペーサーは、完全に組立されることも、具体的な状況やニーズに応じて、あるモジュール間の位置に組立されることもできるが、他の位置には組立されないこともできる。
【００６４】
上記は本発明の具体的な実施形態に過ぎないが、本発明の保護範囲はそれに限定されない。創造的な作業を通じて考えられないいかなる変更または置換も、本発明の保護範囲に含まれるものとする。したがって、本発明の保護範囲は、特許請求の範囲によって限定される保護範囲に従うべきである。
【図１】
2021532372.tif 000003
【図２】
2021532372.tif 000004
【図３】
2021532372.tif 000005
【図４】
2021532372.tif 000006
【図５】
2021532372.tif 000007
【図６】
2021532372.tif 000008
【図７】
2021532372.tif 000009
【図８】
2021532372.tif 000010
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
中軸線を共有し前後に配置されたＣＴスキャンフレームとＰＥＴ検知腔を備え、
前記ＣＴスキャンフレームは、ハウジングと、中軸線に垂直な円柱形状のＣＴスキャン通路を備え、
前記ＰＥＴ検知腔は、互いに隣接する複数のＰＥＴ検知モジュールによって形成され、ＰＥＴ検知結晶は、いずれも腔内方向へ配置され、前記ＰＥＴ検知腔は、全体として封止され、又は前記ＣＴスキャンフレームに隣接する側に第１開口が形成され、
前記複数のＰＥＴ検知モジュールにおける各ＰＥＴ検知モジュールは、いずれもＰＥＴ検知結晶、光電センサーアレイ、ライトガイドからなり、
各前記ＰＥＴ検知モジュールの具体的な構造は、検知器ハウジング、光電センサーアレイ、ライトガイド、ＰＥＴ検知結晶が外から内に順に設置され、ライトガイドは、光電センサーアレイに密接に結合され、ＰＥＴ検知結晶にも密接に結合され、
前記第１開口を除いて、このＰＥＴ検知腔の全てのボイド断面積は、いずれも前記ＰＥＴ検知結晶の最小の１つの検知表面積よりも小さく、
前記ＣＴスキャンフレームには、Ｘ線球管、線フィルター、コリメーター、参照検知器、検知器が含まれる、ことを特徴とする全身のＰＥＴとＣＴを組み合わせた検出器。
【請求項２】
前記ＰＥＴ検知腔が全体として封止された時、前記ＰＥＴ検知腔は、第１形態、第２形態、第３形態、第４形態の何れかであり、且つ中軸線に垂直な前記ＰＥＴ検知腔の１端は、人体モジュール全体が進出することを許可する第１エンドカバーを有し、この第１エンドカバーは、ＰＥＴ検知腔に対して開いて完全に閉じることができる機械構造が配置され、
前記第１形態は、前記ＰＥＴ検知腔が円柱形状形態であり、中間のバレル部と両端の２つの平面エンドカバーからなり、このバレル部は、円柱形状を形成するように幾つかの検知モジュールリングにより密接に配列され、各検知モジュールリングは、一定の数の検知モジュールが結晶が内に向かうように円周に配列されてリング状になり、この平面エンドカバーは、一定の数の検知モジュールが結晶検知面が内に向かうように平行に配列され円盤形状又は略円盤形状になり、それによって形成される略円形状の平面エンドカバーの内側面の寸法は、前記バレル部の円形状開口よりも大きく、第１形態での前記第１エンドカバーは、２つの前記平面エンドカバーのうちの１つであり、
前記第２形態は、前記ＰＥＴ検知腔がカプセル形状形態であり、中間のバレル部と両端の２つの内凹の曲面形状のエンドカバーからなり、このバレル部は、円柱形状を形成するように幾つかの検知モジュールリングにより密接に配列され、各検知モジュールリングは、一定の数の検知モジュールが結晶の検知面が内に向かうように円周に配列されてリング状になり、この内凹の曲面形状のエンドカバーは、一定の数の検知モジュールが結晶の検知面が内へ凹むように一定の曲面弧度に配列され、それによって形成される内凹の曲面形状のエンドカバーのバレル部の軸線に垂直な横断面は、カプセル形状形態の前記バレル部の円形状開口よりも大きく、前記内凹の曲面形状のエンドカバーは、具体的には半球形状のエンドカバー、半分未満の楕球形状のエンドカバー、又は半分未満の球キャップ形状のエンドカバーの三つの状況の何れかであり、第１形態での前記第１エンドカバーは、２つの前記内凹の曲面形状のエンドカバーのうちの一つであり、
前記第３形態は、前記ＰＥＴ検知腔が楕球形状形態であり、上下の半分楕球又は左右の半分楕球からなるか、左右の半分楕球の中間にバレルのうちの１つを挟むようにかななり、前記上下の半分楕球は、鏡面対称であり、前記左右の半分楕球は、鏡面対称であり、このバレル部は、円柱形状を形成するように幾つかの検知モジュールリングにより密接に配列され、又は楕球体の中部状を取り、このバレル部における各検知モジュールリングは、一定の数の検知モジュールが結晶の検知面が内に向かうように円周に配列されてリング状になり、前記第３形態での第１エンドカバーは、中軸線に垂直な検知腔の１端に位置し、
前記第４形態は、前記ＰＥＴ検知腔が正多面形の柱状形態であり、中間のバレル部と両端の２つの平面エンドカバーからなり、このバレル部は、正多面形の柱状を形成するように幾つかの検知モジュールリングにより密接に配列され、各検知モジュールリングは、一定の数の検知モジュールが結晶の検知面が内に向かうように円周に配列され正多角の形状になり、正多面形の柱状形態の平面エンドカバーは、一定の数の検知モジュールが結晶の検知面が内に向かうように平行に配列され円盤形状、略円盤形状、正多角の形状、略正多角の形状の何れかになり、略円形状の正多面形の柱状形態の平面エンドカバーを形成し、正多面形の柱状形態の平面エンドカバーの内側面の寸法は、正多面形の柱状形態のバレル部の正多角の形状の開口よりも大きく、第４形態での前記第１エンドカバーは、２つの前記正多面形の柱状形態の平面エンドカバーのうちの１つであり、
前記ＰＥＴ検知腔は、ＣＴスキャンフレームに隣接する側に第１開口が形成され、このＰＥＴ検知腔は、第１エンドカバーを除いた第１形態、第２形態、第３形態、第４形態のいずれかである、ことを特徴とする請求項１に記載の全身のＰＥＴとＣＴを組み合わせた検出器。
【請求項３】
２つのＰＥＴ検知モジュール間ごとに、いずれも合致回路が接続され、
前記ＰＥＴ検知結晶材料は、シンチレーション結晶であり、このシンチレーション結晶は、１つ以上の結晶ブロックからなり、
前記第４形態では、前記正多角形プリズムは、正六角形プリズム又は正八角形プリズムであり、前記正多角の形状は、正六角形又は正八角形である、ことを特徴とする請求項２に記載の全身のＰＥＴとＣＴを組み合わせた検出器。
【請求項４】
前記ＰＥＴ検知結晶の内への面は、いずれも平面又は略平面であり、
前記結晶ブロックは、具体的には複数の結晶ストリップから構成される結晶ストリップアレイからなるか、１つ以上の全体に切割された結晶からなり、
前記シンチレーション結晶の材料は、ゲルマニウム酸ビスマス（ＢＧＯ）結晶、ヨウ化ナトリウム（ＮａＩ）結晶、ＮａＩ（Ｔｌ）単結晶、ケイ酸ルテチウム（ＬＳＯ）結晶、ケイ酸ガドリニウム（ＧＳＯ）結晶、イットリウムルテチウム（ＬＹＳＯ）のうちの１つまたは複数から選択され、
各検知モジュールリング間には、高原子数物質からなるスペーサーが組立されるか、一部の検知モジュールリング間には、高原子数物質からなるスペーサーが組立されるか、全ての検知モジュールリング間には、いずれもスペーサーが組立されなく、
前記高原子数物質は、鉛又はタングステンである、ことを特徴とする請求項３に記載の全身のＰＥＴとＣＴを組み合わせた検出器。
【請求項５】
請求項２から請求項４の何れか１項に記載の全身のＰＥＴとＣＴを組み合わせた検出器を備え、
給電回路、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、ＰＥＴ作動電源、ＣＴ作動電源、コンソール端末をさらに有し、
このＰＥＴサポートブラケットは、前記ＰＥＴ検知腔の全ての複数のＰＥＴ検知モジュールを固定及び支持し、このＰＥＴサポートブラケットは、前記検知腔を連行して任意角度で回動させ、前記検知腔を連行して任意方向へ並進させることもでき、
前記配置されたＰＥＴ検知腔に対して開いて完全に閉じることができる機械構造は、第１エンドカバーの自動又は手動開閉と連動するヒンジ構造であるか、第１エンドカバーを中軸線に垂直な状態まま回転させ開閉させる回転機構であるか、第１エンドカバーを中軸線に垂直な状態まま並進させ開閉させる並進機構であり、
このＰＣ端末には、ＰＥＴ信号収集と演算分析システム、及びＣＴ信号収集と演算分析システムが備え、
この給電回路は、前記ＰＥＴ作動電源、ＣＴ作動電源が投入され、前記ＰＥＴ作動電源、ＣＴ作動電源により、通信回線、ＰＣ端末、ＰＥＴサポートブラケット、ＣＴサポートブラケット、スキャニングベッド、ベッドフレーム、スキャニングベッドとベッドフレーム間に位置する電気ガイドレール、コンソール端末、及び全てのＰＥＴ検知モジュールへ定格電圧での電気エネルギーを提供し、
全てのＰＥＴ検知モジュールにより検出された信号は、この通信回線により前記ＰＥＴ信号収集と演算分析システムに送信され、ＣＴスキャンフレームにおける前記検知器と参照検知器が受信された信号は、この通信回線により前記ＣＴ信号収集と演算分析システムに送信され、
前記スキャニングベッドは、ベッドフレームに水平に置かれ、スキャニングベッドとベッドフレームの間にガイドレールが設けられ、スキャニングベッドは、前記ガイドレールに沿って中軸線に平行な方向に前後へ移動でき、
前記ＰＥＴ検知腔の下部には、１つ又は複数のベッドフレームが貫通するボイドがあり、
前記ＰＥＴ検知腔が第１開口と第１エンドカバーを備える場合については、前記ベッドフレーム及び前記電気ガイドレールは、いずれも第１開口で中断された前後の両端を形成し、前記中断により、第１エンドカバーを妨げられることなく開閉できる、ことを特徴とする全身のＰＥＴとＣＴを組み合わせた検出器装置。
【請求項６】
前記ベッドフレームの下で、中軸線方向に沿って幾つかの垂直なピラーが設けられ、各ピラーの下方には、水平で高さ調節可能で安定して支持される１つのピラーベースが設けられ、
前記ガイドレールは、１つのガイドレール全体、又は中軸線の両側にある１つずつの１対のガイドレールである、ことを特徴とする請求項５に記載の全身のＰＥＴとＣＴを組み合わせた検出器装置。
【請求項７】
請求項６に記載の全身のＰＥＴとＣＴを組み合わせた検出器装置を用いて実施される全身のＰＥＴとＣＴを組み合わせた検出方法であって、
１）被検出対象をスキャニングベッドに置き、プレスキャン部分が円柱形状のＣＴスキャン通路の中間に位置するまでスキャニングベッドを内側へ移動させ、ＣＴスキャン検出を行い、複数のＣＴスキャン静止画像を取得するＣＴスキャンステップと、
２）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、
前記被検出対象に対してＰＥＴスキャン検出を行い、複数のＰＥＴスキャン静止画像と少なくとも１つの動的画像を取得し、
前記複数のＰＥＴスキャン静止画像と少なくとも１つの動的画像に応じて、１つ以上の関心のある部分を確定するＰＥＴ検出ステップと、
３）１つ以上の前記関心のある部分から１つの再スキャン部分を選択し、再びスキャン部分が円柱形状のＣＴスキャン通路の中間に位置するまでスキャニングベッドに被検出対象を載せて外へ移動させ、さらにＣＴスキャン検出を行い、複数のＣＴスキャン静止画像を取得する再ＣＴスキャンステップとを備える、ことを特徴とする全身のＰＥＴとＣＴを組み合わせた検出方法。
【請求項８】
前記被検出対象は、人体検出モジュール又は人体である、ことを特徴とする請求項７に記載の全身のＰＥＴとＣＴを組み合わせた検出方法。
【請求項９】
請求項６に記載の全身のＰＥＴとＣＴを組み合わせた検出器装置を用いて実施される全身のＰＥＴとＣＴを組み合わせた検出方法であって、
１）前記ＰＥＴ検知腔が第１開口を備える場合については、すべての被検出対象が前記ＰＥＴ検知腔に入るまでスキャニングベッドが被検出対象を連行して内へ移動させ続け、又は、前記ＰＥＴ検知腔が全体として封止され場合については、前記第１エンドカバーを開き、すべての被検出対象が前記ＰＥＴ検知腔に入って前記第１エンドカバーを完全に閉じるまでスキャニングベッドが被検出対象を連行して内へ移動させ続け、
前記被検出対象に対してＰＥＴスキャン検出を行い、複数のＰＥＴスキャン静止画像と少なくとも１つの動的画像を取得し、
前記複数のＰＥＴスキャン静止画像と少なくとも１つの動的画像に応じて、１つ以上の関心のある部分を確定するＰＥＴ検出ステップと、
２）１つ以上の前記関心のある部分から１つの関心のある部分を選択し、ここでの関心のある部分が円柱形状のＣＴスキャン通路の中間に位置するまでスキャニングベッドに被検出対象を載せて外へ移動させ、ＣＴスキャン検出を行い、複数のＣＴスキャン静止画像を取得するＣＴスキャンステップとを備える、ことを特徴とする全身のＰＥＴとＣＴを組み合わせた検出方法。
【国際調査報告】
2021532372.tif 000011
2021532372.tif 000012
2021532372.tif 000013
2021532372.tif 000014
2021532372.tif 000015